(57)【要約】【課題】電池により駆動される複数の携帯機器を接続して使用可能とされた携帯機器システムの充電方法及び携帯機器システム並びに携帯機器に関し、携帯性を犠牲にすることなく、できるだけ長時間の使用を可能とする携帯機器システムの充電方法及び携帯機器システム並びに携帯機器を提供することを目的とする。【解決手段】本発明は、電池により駆動される複数の携帯機器を接続して使用可能とされた携帯機器システムにおいて、複数の携帯機器の間で双方向に電池の充電を行なうことを特徴とする。【選択図】図１
2006287628.tif 000002
【特許請求の範囲】
【請求項１】
電池により駆動される複数の携帯機器を接続して使用可能とされた携帯機器システムの充電方法であって、
前記複数の携帯機器の間で双方向に前記電池の充電を行なうことを特徴とする携帯機器システム。
【請求項２】
前記電池の残量に応じて充放電を制御することを特徴とする請求項１記載の携帯機器システムの充電方法。
【請求項３】
前記他の携帯機器の電池残量を取得し、
前記電池残量が最大の携帯機器により前記電池を充電することを特徴とする請求項１又は２記載の携帯機器システムの充電方法。
【請求項４】
電池により駆動される複数の携帯機器を接続して使用可能とされた携帯機器システムであって、
前記複数の携帯機器は、前記複数の携帯機器の間で相互に前記電池の充電を行なう充電制御手段を有することを特徴とする携帯機器システム。
【請求項５】
前記充電制御手段は、電池の残量を検出する電池残量検出部と、
前記電池残量検出手段で検出された前記電池の残量に応じて前記電池による他の携帯機器の充電を禁止する充電切替回路とを有することを特徴とする請求項４記載の携帯機器システム。
【請求項６】
前記充電制御手段は、他の携帯機器の電池電圧を検出する電圧検出部と、
前記電圧検出部で検出された電池電圧に応じて他の携帯機器による前記電池の充電を禁止する切替回路とを有することを特徴とする請求項４又は５記載の携帯機器システム。
【請求項７】
前記充電制御手段は、電池の残量を検出する電池残量検出部と、
前記電池残量検出手段で検出された前記電池の残量に応じて前記電池による他の携帯機器の充電を許可する充電許可通知を他の携帯機器に通知する充電許可手段とを有することを特徴とする請求項４乃至６のいずれか一項記載の携帯機器システム。
【請求項８】
前記充電制御手段は、前記充電許可手段から通知された充電許可通知に応じて前記電池の充電を許可する切替回路を有することを特徴とする請求項７記載の携帯機器システム。
【請求項９】
前記充電制御手段は、前記他の携帯機器の電池残量を取得し、前記電池残量が最大の携帯機器により前記電池を充電することを特徴とする請求項４記載の携帯機器システム。
【請求項１０】
電池により駆動され、他の複数の携帯機器を接続して使用可能とされた携帯機器であって、
前記他の複数の携帯機器との間で相互に前記電池の充電を行なう充電制御手段を有することを特徴とする携帯機器。
【発明の詳細な説明】
【技術分野】
【０００１】
本発明は携帯機器システムの充電方法及び携帯機器システム並びに携帯機器に係り、特に、電池により駆動される複数の携帯機器を接続して使用可能とされた携帯機器システムの充電方法及び携帯機器システム並び携帯機器に関する。
【背景技術】
【０００２】
近年、機器の小型化や二次電池の大容量化などに伴い、携帯機器が急速に普及している。また、携帯機器にある特化した機能を持たせ、別の機器から制御することで、汎用性を持たせた運用形態が多く見られている。
【０００３】
例えば、ハンディーターミナルと携帯型プリンタ、及び、ディジタルカメラと携帯型プリンタ、携帯型コンピュータなどの組み合わせである。これらは、いずれも電池で駆動されている。このような構成で運用する携帯機器システムにおいて、対をなすいずれか一方の携帯機器の二次電池残量がなくなった場合、他方の携帯機器は電池の残量が十分であり、動作可能であるにもかかわらず、一方の携帯機器は、使用不可能となり、業務に支障が発生する。このため、予備の電池や充電器などを携帯機器とともに携帯して、業務に支障がないようにしていた。
【０００４】
なお、このとき、携帯電話機においては、携帯型パーソナルコンピュータから携帯電話機を充電することを可能としてシステムが提案されている（特許文献１、２）。
【０００５】
また、携帯型プリンタにおいては、プリンタ分離型形態端末機本体から１回のプリントに必要な電力を携帯型プリンタに供給し、プリントを行なうシステムが提案されている（特許文献３参照）。
【０００６】
【特許文献１】特開２００２−３００２５６号公報
【特許文献２】特開２００１−３４３６７号公報
【特許文献３】実開平０６−１１０３４号公報
【発明の開示】
【発明が解決しようとする課題】
【０００７】
しかるに、従来、業務に支障でないように、予備の電池や充電器などを持ち運んでいたため、携帯性が犠牲となるなどの問題点があった。
【０００８】
本発明は上記の点に鑑みてなされたもので、携帯性を犠牲にすることなく、できるだけ長時間の使用を可能とする携帯機器システムの充電方法及び携帯機器システム並びに携帯機器を提供することを目的とする。
【課題を解決するための手段】
【０００９】
本発明は、電池により駆動される複数の携帯機器を接続して使用可能とされた携帯機器システムにおいて、複数の携帯機器の間で双方向に電池の充電を行なうことを特徴とする。
【発明の効果】
【００１０】
本発明によれば、複数の携帯機器の間で双方向に電池の充電を行なうことにより、一方の携帯機器の電池残量がなくなっても、他方の携帯機器の電池により一方の携帯機器の電池を充電することにより、長時間の使用を可能にできるなどの特長を有する。
【発明を実施するための最良の形態】
【００１１】
〔第１実施例〕
図１は本発明の第１実施例のブロック構成図を示す。
【００１２】
本実施例の携帯機器システム１００は、携帯機器１０１と携帯機器１０２とをケーブル１０３により接続した構成とされている。
【００１３】
携帯機器１０１は、例えば、携帯型プリンタから構成されており、接続部１１１、充電回路１１２、二次電池１１３、メイン回路部１１４、操作部１１５、印字機構１１６から構成されている。
【００１４】
接続部１１１は、ソケットコネクタなどから構成され、ケーブル１０３の一端のプラグコネクタと接続される。接続部１１１は、データをメイン回路部１１４とケーブル１０３との間でやり取りし、電源をケーブル１０３と充電回路１１２又は二次電池１１３との間でやり取りする。充電回路１１２は、レギュレータから構成されており、携帯機器１０２からケーブル１０３を介して供給された電源により二次電池１１３を充電する。
【００１５】
メイン回路部１１４は、操作部１１５からの指示により、二次電池１１３から供給される電源により駆動されて、接続部１１１から供給されるデータに基づいて印字機構１１６を制御して、印字データに応じた印字を行なう。
【００１６】
携帯機器１０２は、例えば、携帯型情報処理装置であり、接続部１２１、充電回路１２２、二次電池１２３、メイン回路部１２４、操作部１２５、表示部１２６から構成されている。
【００１７】
接続部１２１は、ソケットコネクタなどから構成され、ケーブル１０３の他端のプラグコネクタと接続される。接続部１２１は、データをメイン回路部１２４とケーブル１０３との間でやり取りし、電源をケーブル１０３と充電回路１２２又は二次電池１２３との間でやり取りする。充電回路１２２は、レギュレータなどから構成されており、携帯機器１０２からケーブル１０３を介して供給された電源により二次電池１２３を充電する。
【００１８】
メイン回路部１２４は、二次電池１２３から供給される電源により駆動されて、操作部１２５の操作によりデータ処理を行ない、表示部１２６に表示する。また、メイン回路部１２４は、操作部１２５の操作により印字データを携帯機器１０１に送信する。
【００１９】
このとき、本実施例によれば、携帯機器１０１の二次電池１１３が消耗したときには、携帯機器１０２の二次電池１２３により充電が行なわれ、携帯機器１０２の二次電池１２３が消耗したときには、携帯機器１０１の二次電池１１３により充電が行なわれ、携帯機器１０１と携帯機器１０２との間で双方向に充電を行なうことができ、これによって、携帯機器１０１の二次電池１１３及び携帯機器１０２の二次電池１２３のどちらか一方が消耗した場合であっても確実に印刷を行なうことが可能となる。
【００２０】
〔変形例〕
図２は本発明の第１実施例の変形例のブロック構成図を示す。
【００２１】
本実施例では、携帯機器１０１の二次電池１１３を充電する充電回路１１２を携帯機器１０１側に設け、携帯機器１０２の二次電池１１３を充電する充電回路１２２を携帯機器１０２側に設けたが、図２に示すように携帯機器１０１の二次電池１１３を充電する充電回路１１２を携帯機器１０２側に設け、携帯機器１０２の二次電池１１３を充電する充電回路１２２を携帯機器１０１側に設けるようにしてもよい。
【００２２】
〔第２実施例〕
図３は本発明の第２実施例のブロック構成図を示す。同図中、図１と同一構成部分には同一符号を付し、その説明は省略する。
【００２３】
本実施例の携帯機器システム２００は、携帯機器２０１、２０２の構成が第１実施例とは相違している。
【００２４】
本実施例の携帯機器２０１は、充電切替回路２１７を有するとともに、メイン回路部２１４に電池残量検知回路２２１を有する点で第１実施例の携帯機器１０１とは相違している。
【００２５】
充電切替回路２１７には、メイン回路２１４の電池残量検出手段２２１から切替制御信号が供給されている。充電切替回路２１７は、切替制御信号により二次電池１１３から接続部１１１に供給される電源の経路を切断又は短絡する。
【００２６】
電池残量検出手段２２１は、二次電池１１３の残量を検出する。電池残量検出手段２２１は、二次電池１１３の電圧を検出することにより二次電池１１３の残量を検出している。なお、電池残量検出手段２２１は、メイン回路部２１４に供給される電流を積算することにより、二次電池１１３の残量を検出する構成としてもよい。メイン回路部２１４は、電池残量検出手段２２１の検出結果に基づいて充電切替回路２１７を制御する。
【００２７】
図４はメイン回路部２１４の充電切替処理のフローチャートを示す。
【００２８】
メイン回路部２１４は、ステップＳ１−１で電池残量検出手段２２１により二次電池１１３の電圧を検出する。メイン回路部２１４は、ステップＳ１−２で電池残量検出手段２２１による検出電圧が例えば、７．２Ｖ以上であれば、充電可能であると判断して、ステップＳ１−３で充電切替回路２１７に充電許可信号を供給する。また、メイン回路部２１４は、ステップＳ１−２で電池残量検出手段２２１による検出電圧が、７．２Ｖ未満に低下すると、充電は行なえないと判断して、ステップＳ１−４で充電切替回路２１７に充電禁止信号を供給する。
【００２９】
充電切替回路２１７は、メイン回路部２１４から充電許可信号を供給されると、二次電池１１３と接続部１１１との間を短絡して、二次電池１１３により携帯機器２０２を充電できるようにする。また、充電切替回路２１７は、メイン回路部２１４から充電禁止信号を供給されると、二次電池１１３と接続部１１１との間を開放して、二次電池１１３により携帯機器２０２を充電できないようにする。
【００３０】
以上により、二次電池１１３の残量が所定量より小さいときには、充電切替回路２１７により二次電池１１３と接続部１１１との接続を切断し、二次電池１１３による携帯機器２０２の充電を停止することができる。
【００３１】
また、本実施例の携帯機器２０２は、充電切替回路２２７を有するとともに、メイン回路部２２４に電池残量検知回路２３２を有する点で第１実施例の携帯機器１０２とは相違している。
【００３２】
充電切替回路２２７には、メイン回路２２４の電池残量検出手段２２２から切替制御信号が供給されている。充電切替回路２２７は、切替制御信号により二次電池１２３から接続部１２１に供給される電源の経路を切断又は短絡する。
【００３３】
電池残量検出手段２２２は、二次電池１２３の残量を検出する。電池残量検出手段２２２は、電池残量検出手段２２１と同様に、二次電池１２３の電圧を検出することにより二次電池１１３の残量を検出している。なお、電池残量検出手段２２２は、メイン回路部２２４に供給される電流を積算することにより、二次電池１２３の残量を検出する構成としてもよい。メイン回路部２２４は、電池残量検出手段２２２の検出結果に基づいて充電切替回路２２７を制御する。
【００３４】
メイン回路部２２４は、図４に示す携帯機器２０１のメイン回路部２１４と同様な処理により、充電切替回路２２７を制御している。これによって、二次電池１２３の残量が所定量より小さいときには、充電切替回路２２７により二次電池１２３と接続部１２１との接続を切断し、二次電池１２３による携帯機器２０１の充電を停止することができる。
【００３５】
以上により、本実施例によれば、二次電池１１３、１２３の残量が小さい場合には、他方の携帯機器２０２、２０１の充電を停止することにより、携帯機器２０２、２０１の動作を確保できる構成とされている。
【００３６】
〔第３実施例〕
図５は本発明の第３実施例のブロック構成図を示す。同図中、図３と同一構成部分には同一符号を付し、その説明は省略する。
【００３７】
本実施例の携帯機器システム３００は、携帯機器３０１〜３０３から構成されている。携帯機器３０１は、携帯機器３０２及び携帯機器３０３を同時に接続可能な構成とされており、携帯機器３０２又は携帯機器３０３から選択的に充電を行なう構成とされている。
【００３８】
携帯機器３０１は、接続部３１１にケーブル３０４を介して携帯機器３０２が接続されており、接続部３１２にケーブル３０５を介して携帯機器３０３が接続されている。
【００３９】
接続部３１１は、ケーブル３０４のデータラインをメイン回路部２１４に接続し、電源ラインを電圧検出部３１３及び切替回路３１４に接続する。接続部３１２は、ケーブル３０５のデータラインをメイン回路部２１４に接続し、電源ラインを電圧検出部３１３及び切替回路３１４に接続する。
【００４０】
電圧検出部３１３は、ケーブル３０４の電源ラインの電源電圧とケーブル３０５の電源ラインの電源電圧とを比較し、例えば、ケーブル３０４の電源ラインの電源電圧がケーブル３０５の電源ラインの電源電圧より大きいときにハイレベルとなり、ケーブル３０４の電源ラインの電源電圧がケーブル３０５の電源ラインの電源電圧より小さいときにローレベルとなる検出信号を生成する。電圧検出部３１３で生成された検出信号は、切替回路３１４に供給される。切替回路３１４は、接続部３１１及び接続部３１２と充電回路１１２との間に接続され、電圧検出部３１３から供給される検出信号がハイレベルのときには、接続部３１１を充電回路１１２に接続し、検出信号がローレベルのときには、接続部３１２を充電回路１１２に接続する。
【００４１】
切替回路３１４は、接続部３１１と充電回路１１２とが接続されているときには、携帯機器３０２からケーブル３０４を介して供給された電源を充電回路１１２に供給する。また、切替回路３１４は、接続部３１２と充電回路１１２とが接続されているときには、携帯機器３０３からケーブル３０５を介して供給された電源を充電回路１１２に供給する。
【００４２】
以上により、複数台接続された携帯機器３０２、３０３のうち、二次電池１１３の残量の大きい方の携帯機器３０２、３０３から充電を行なうことが可能となる。
【００４３】
なお、本実施例では、携帯機器３０２、３０３は、図３に示す携帯機器２０２と同じ構成とされている。
【００４４】
〔第４実施例〕
図６は本発明の第４実施例のブロック構成図を示す。同図中、図３と同一構成部分には同一符号を付し、その説明は省略する。
【００４５】
本実施例の携帯機器システム４００は、携帯機器４０１、４０２、ケーブル４０３から構成されている。携帯機器４０１と携帯機器４０２とはケーブル４０３を介して接続されている。ケーブル４０３は、データライン、電源ライン及び制御ラインを有し、一端が携帯機器４０１の接続部４１１に接続され、他端が携帯機器４０２の接続部４２１に接続されている。
【００４６】
携帯機器４０１の接続部４１１は、ケーブル４０３のデータラインをメイン回路部４１４に接続し、ケーブル４０３の電源ラインを切替回路２１７に接続し、ケーブル４０３の制御ラインを切替回路４３２に接続する。携帯機器４０２の接続部４２１は、ケーブル４０３のデータラインをメイン回路部４２４に接続し、ケーブル４０３の電源ラインを切替回路２２７に接続し、ケーブル４０３の制御ラインをメイン回路部４２４に接続する。
【００４７】
本実施例の携帯機器４０１は、メイン回路部４２１に設けられた充電要求手段４２１からの要求、及び、携帯機器４０２から供給される充電許可通知に基づいて切替回路４２２がオン／オフする構成とされている。
【００４８】
図７は充電要求手段４２１の処理フローチャートを示す。
【００４９】
充電要求手段４２１は、ステップＳ２−１で電池残量検出手段２１２から電池残量を取得する。電池残量は、例えば、電池電圧である。充電要求手段４２１は、ステップＳ２−２で電池電圧が所定の電圧未満の場合には、ステップＳ２−３で充電要求を切替回路４２２に発行する。
【００５０】
また、切替回路４２２には、充電要求手段４２１から充電要求が供給されるとともに、接続部４１１から充電許可通知が供給されている。切替回路４２２は、接続部３１１と充電回路１１２との間に接続されており、充電要求手段４２１から充電要求が供給され、かつ、携帯機器４０２から充電許可通知が供給されると接続部３１１と充電回路１１２との間を接続する。また、切替回路４２２は、充電要求手段４２１からの充電要求、又は、携帯機器４０２からの充電許可通知がないときには、接続部３１１と充電回路１１２との間を切断する。
【００５１】
また、携帯機器４０２は、メイン回路部４２４に充電許可手段４４１が設けられている。
【００５２】
図８は充電許可手段４４１の処理フローチャートを示す。
【００５３】
充電許可手段４４１は、ステップＳ３−１で電池残量検出手段２２２から電池残量を取得する。電池残量は、電池電圧である。充電許可手段４４１は、ステップＳ３−２で所定の電圧より大きければ、ステップＳ３−３で充電許可通知を接続部４２１に供給する。接続部４２１では、充電許可手段４４１からの充電許可通知をケーブル４０３の制御ラインに供給する。
【００５４】
本実施例によれば、充電が必要なときに充電要求が発行されて、携帯機器４０２から携帯機器４０１への充電又は携帯機器４０１から携帯機器４０２への充電が行なわれ、不要なときには、携帯機器４０１及び携帯４０２の切替回路４２２、４４２がオフされて、充電が禁止されるため、不要な充電が行なわれて、他方の携帯機器の二次電池の消耗を防止できる。また、携帯機器４０２の二次電池１２３の電圧が十分でない場合には、携帯機器４０１への充電を禁止することができるため、必要以上の充電を防止できる。
【図面の簡単な説明】
【００５５】
【図１】本発明の第１実施例のブロック構成図である。
【図２】本発明の第１実施例の変形例のブロック構成図である。
【図３】本発明の第２実施例のブロック構成図である。
【図４】メイン回路部２１４の充電切替処理のフローチャートである。
【図５】本発明の第３実施例のブロック構成図である。
【図６】本発明の第４実施例のブロック構成図である。
【図７】充電要求手段４２１の処理フローチャートである。
【図８】充電許可手段４４１の処理フローチャートである。
【符号の説明】
【００５６】
１００、２００、３００、４００、５００  携帯機器システム
１０１、１０２、２０１、２０２、３０１、３０２、３０３、４０１、４０２、５０１、５０２  携帯機器
１１１、１２１、３１１、３１２  接続部、１１２、１２２  充電回路
１３１、１２３  二次電池
１１４  メイン回路部、１１５  操作部、１１６  印字機構
１２５  操作部、１２６  表示部
【図１】
2006287628.tif 000003
【図２】
2006287628.tif 000004
【図３】
2006287628.tif 000005
【図４】
2006287628.tif 000006
【図５】
2006287628.tif 000007
【図６】
2006287628.tif 000008
【図７】
2006287628.tif 000009
【図８】
2006287628.tif 000010
【手続補正書】
【提出日】平成17年4月12日(2005.4.12)
【手続補正１】
【補正対象書類名】明細書
【補正対象項目名】００１７
【補正方法】変更
【補正の内容】
【００１７】
接続部１２１は、ソケットコネクタなどから構成され、ケーブル１０３の他端のプラグコネクタと接続される。接続部１２１は、データをメイン回路部１２４とケーブル１０３との間でやり取りし、電源をケーブル１０３と充電回路１２２又は二次電池１２３との間でやり取りする。充電回路１２２は、レギュレータなどから構成されており、携帯機器１０１からケーブル１０３を介して供給された電源により二次電池１２３を充電する。
【手続補正２】
【補正対象書類名】明細書
【補正対象項目名】００２５
【補正方法】変更
【補正の内容】
【００２５】
充電切替回路２１７には、メイン回路２１４の電池残量検出手段２１２から切替制御信号が供給されている。充電切替回路２１７は、切替制御信号により二次電池１１３から接続部１１１に供給される電源の経路を切断又は短絡する。
【手続補正３】
【補正対象書類名】明細書
【補正対象項目名】００２６
【補正方法】変更
【補正の内容】
【００２６】
電池残量検出手段２１２は、二次電池１１３の残量を検出する。電池残量検出手段２１２は、二次電池１１３の電圧を検出することにより二次電池１１３の残量を検出している。なお、電池残量検出手段２２１は、メイン回路部２１４に供給される電流を積算することにより、二次電池１１３の残量を検出する構成としてもよい。メイン回路部２１４は、電池残量検出手段２１２の検出結果に基づいて充電切替回路２１７を制御する。
【手続補正４】
【補正対象書類名】明細書
【補正対象項目名】００３１
【補正方法】変更
【補正の内容】
【００３１】
また、本実施例の携帯機器２０２は、充電切替回路２２７を有するとともに、メイン回路部２２４に電池残量検出手段２２２を有する点で第１実施例の携帯機器１０２とは相違している。
【手続補正５】
【補正対象書類名】明細書
【補正対象項目名】００４７
【補正方法】変更
【補正の内容】
【００４７】
本実施例の携帯機器４０１は、メイン回路部４１４に設けられた充電要求手段４３１からの要求、及び、携帯機器４０２から供給される充電許可通知に基づいて切替回路４３２がオン／オフする構成とされている。
【手続補正６】
【補正対象書類名】明細書
【補正対象項目名】００４８
【補正方法】変更
【補正の内容】
【００４８】
図７は充電要求手段４３１の処理フローチャートを示す。
【手続補正７】
【補正対象書類名】明細書
【補正対象項目名】００４９
【補正方法】変更
【補正の内容】
【００４９】
充電要求手段４３１は、ステップＳ２−１で電池残量検出手段２１２から電池残量を取得する。電池残量は、例えば、電池電圧である。充電要求手段４３１は、ステップＳ２−２で電池電圧が所定の電圧未満の場合には、ステップＳ２−３で充電要求を切替回路４３２に発行する。
【手続補正８】
【補正対象書類名】明細書
【補正対象項目名】００５０
【補正方法】変更
【補正の内容】
【００５０】
また、切替回路４３２には、充電要求手段４３１から充電要求が供給されるとともに、接続部４１１から充電許可通知が供給されている。切替回路４３２は、接続部４１１と充電回路１１２との間に接続されており、充電要求手段４３１から充電要求が供給され、かつ、携帯機器４０２から充電許可通知が供給されると接続部４１１と充電回路１１２との間を接続する。また、切替回路４３２は、充電要求手段４３１からの充電要求、又は、携帯機器４０２からの充電許可通知がないときには、接続部４１１と充電回路１１２との間を切断する。
【手続補正９】
【補正対象書類名】図面
【補正対象項目名】図１
【補正方法】変更
【補正の内容】
【図１】
2006287628.tif 000011
【手続補正１０】
【補正対象書類名】図面
【補正対象項目名】図６
【補正方法】変更
【補正の内容】
【図６】
2006287628.tif 000012
【手続補正１１】
【補正対象書類名】図面
【補正対象項目名】図７
【補正方法】変更
【補正の内容】
【図７】
2006287628.tif 000013